(57)【要約】【課題】本発明の課題は、光伝搬部もしくはコアが複数の空孔で囲まれた光ファイバを用いた場合に、可視光による心線対照を可能にする光ファイバコードに関する。【解決手段】本発明は、光伝搬部もしくはコア２１が複数の空孔２３で囲まれると共に空孔２３の間隙を波長範囲380〜1200nmの光が伝搬可能である光ファイバを用いた光ファイバコードであって、前記光ファイバを覆うようにＵＶ被覆２４、ケブラ２５、コード外被覆２６が設けられ、ＵＶ被覆２４、ケブラ２５、コード外被覆２６を光が断面方向に通過する場合の総計の透過率が380〜1200nmの波長範囲で0.1%以上70%以下であることを特徴とする。【選択図】図１
2010276862.tif 000002
【特許請求の範囲】
【請求項１】
光伝搬部もしくはコアが複数の空孔で囲まれると共に空孔の間隙を波長範囲380〜1200nmの光が伝搬可能である光ファイバを用いた光ファイバコードであって、
前記光ファイバを覆うように被覆部材が設けられ、
被覆部材として380〜1200nmの波長範囲の光が通過する被覆部材を用いることを特徴とする光ファイバコード。
【請求項２】
請求項１に記載の光ファイバコードにおいて、
被覆部材として、被覆部材を光が断面方向に通過する場合の透過率が380〜1200nmの波長範囲で0.1%以上70%以下である被覆部材を用いること、
被覆部材として、UV被覆、強度保持材、コード外被覆の少なくとも１つ以上より構成される被覆部材を用いることを特徴とする光ファイバコード。
【請求項３】
請求項２に記載の光ファイバコードにおいて、
ＵＶ被覆、強度保持材、コード外被覆の少なくともいずれかに波長範囲380〜1200nmの光を散乱させる粒子を含有することを特徴とする光ファイバコード。
【請求項４】
請求項１、２又は３に記載の光ファイバコードにおいて、
光ファイバコードを湾曲させた場合に、光ファイバを伝搬する光のうち、波長範囲380〜1200nmの光の少なくともいずれか１波長の光を漏光し、1200nmを超える波長の光を漏光しないことを特徴とする光ファイバコード。
【請求項５】
請求項４に記載の光ファイバコードにおいて、
光ファイバコードを半径5mmで湾曲させた場合に、光ファイバを伝搬する光のうち、波長範囲380〜1200nmの光の少なくともいずれか１波長の光を漏光し、1200nmを超える波長の光を漏光しないことを特徴とする光ファイバコード。
【請求項６】
請求項４又は５に記載の光ファイバコードにおいて、
波長範囲380〜1200nmの光を光ファイバコードの光伝搬部もしくコアに結合する光結合器を具備することを特徴とする光ファイバコード。
【請求項７】
請求項６に記載の光ファイバコードにおいて、
光ファイバコードの光伝搬部もしくコアを伝搬する信号光に影響を与えずに波長範囲380〜1200nmの光を合波する光結合器を有することを特徴とする光ファイバコード。
【請求項８】
請求項６又は７に記載の光ファイバコードにおいて、
波長範囲380〜1200nm及び1300〜1700nmの少なくともいずれか１波長以上の光もしくは変調光を発する光源が接続されていることを特徴とする光ファイバコード。
【請求項９】
請求項１乃至８のいずれかに記載の光ファイバコードにおいて、
光ファイバコードを挟み込んで、光ファイバコードを湾曲させて波長範囲380〜1200nmの光のパワーもしくは変調信号を検出可能な心線対照器が設けられていることを特徴とする光ファイバコード。
【請求項１０】
光伝搬部もしくはコアが複数の空孔で囲まれると共に空孔の間隙を波長範囲380〜1200nmの光が伝搬可能である光ファイバを用いた光ファイバコードの心線対照方法であって、
前記光ファイバコードを湾曲させ、光ファイバを伝搬する光のうち、波長範囲380〜1200nmの光の少なくともいずれか１波長の光を漏光し、1200nmを超える波長の光を漏光しないようにして心線対照を行うことを特徴とする光ファイバコードの心線対照方法。
【発明の詳細な説明】
【技術分野】
【０００１】
本発明は、例えばＨＡＦ（ホールアシストファイバ）、ＰＣＦ（フォトニッククリスタルファイバ）等の断面において光伝搬部もしくはコアが複数の空孔で囲まれた光ファイバを用いた場合に、可視光による心線対照を可能にする光ファイバコード及びその心線対照方法に関する。
【背景技術】
【０００２】
2010年2000万光アクセスの実現を背景とした光アクセスサービスの急速な普及により、光サービスの大量開通時代を迎え、それに伴い所内光設備は急激に増加している（例えば、非特許文献１，２参照。）。
【０００３】
次世代の所内光設備では、増加する光設備を限られたスペースで収容することが予想されるため、従来以上に高密度化による省スペース化が求められる可能性がある。しかし、高密度化が進むと光コードや光ケーブル等が輻輳し、保守・管理が困難となることが懸念される。そのため次世代の所内光設備では、高密度化に対応した安全性と確実性を兼ね備えた所内光配線及び管理技術への要請がある。
【０００４】
図２は従来の所内光配線設備を示す構成説明図である。図２に示すように、通信局ビル１１の所内光配線設備は、IPサービス等を提供する伝送装置OLT（Optical Line Terminal）と専用配線架IDM-B（IDM: Integrated Distribution Module）を接続する識別タグ１２を有する所内光ケーブル（光コード）１３、及び専用配線架IDM-Bと専用配線架IDM-Aを接続する識別タグ１２を有する所内光ケーブル（光コード）１３から構成される。前記専用配線架IDM-Aは所外光ケーブル（光コード）１４により顧客宅１５と接続される。この場合、所外側とOLT側でそれぞれ専用配線架IDM-A,IDM-Bを設置し機能分割することで効率的な光配線収容を実現している（例えば、非特許文献３〜６参照。）。
【０００５】
さらに保守・運用上大変重要な所望の光ファイバ心線を特定する心線対照技術が開発されている。信号波長帯より長波長の対照光を光ファイバに入力し、ファイバを湾曲させ、漏光する対照光をモニタすることで心線対照が可能である（例えば、非特許文献７参照。）。
【０００６】
このように、現在の所内光配線は高効率運用・作業性の平易化を目的に熟慮された構成となっている。さらに次世代の所内光配線設備ではさらに高密度化が求められることが予想されるため、光配線の際発生しうる課題として、新設・廃止等の作業時に、誤って光コードおよび光ケーブルを引っ掛けて曲げ損失を増加させてしまい、通信遮断する可能性がある。そのため光ファイバコードおよび光ケーブルの光ファイバ素線を現在のシングルモードファイバから曲げ損失特性に優れるホールアシストファイバ（HAF）へ置き換えることが提案されている（例えば、非特許文献８参照。）。しかし、HAFは曲げ損失が発生し難い構造のため対照光が漏光せず、心線対照が困難であった。
【先行技術文献】
【非特許文献】
【０００７】
【非特許文献１】H. Shinohara, “Overview of Japanese FTTH market and NTT’s strategies for entering full-scale FTTH era,” presented at the 32nd European Conference on Optical Communication, Cannes, France September 24-28, 2006.
【非特許文献２】O. Yamauchi, “Trends in optical access network technologies toward ‘30 million optical subscribers by 2010’,” NTT Technical Review 4, 21-28 (2006).
【非特許文献３】M. Tachikura, K. Mine, H. Izumita, S. Uruno, M. Nakamura,” Newly developed optical fiber distribution system and cable management in central office,” Proc. 50th IWCS, pp. 98-105.
【非特許文献４】宇留野重則, 泉田史, 中村稔,”所内光配線マネジメントシステムにおける経済化MUコネクタ技術,” NTT技術ジャーナル, vol. 15, ｎo. 10, pp. 12-15, 2003
【非特許文献５】宇留野重則，立蔵正男，泉田史，峰恒司，富田信夫“所内光配線マネジメントシステムにおける統合配線モジュール（IDMの設計）"，信学総大, B-10-25, 2000
【非特許文献６】Koji Mine, Yoshitaka Enomoto, Hisashi Izumita, M. Tachikura, N. Tomita, J. Yamaguchi, K. Sasakura and K. Kaneko,”Automatic Cross-connecting Fiber Termination Module,” APCC/OECC’99, vol. 1, pp. 267-269, 1999
【非特許文献７】有居正仁, 東裕司, 榎本圭高, 鈴木勝晶, 荒木則幸, 宇留野重則, 渡邉常一, “拡大する光アクセス網を支える光媒体網運用技術,” NTT技術ジャーナル, vol. 18, no. 12, pp. 58-61, 2006.
【非特許文献８】青笹真一、宇留野重則、和氣正樹、榎本圭高、東裕司, ”次世代所内光配線・管理技術”, 信学技報, OFT2008-50, pp. 19- 22, 2008.
【発明の概要】
【発明が解決しようとする課題】
【０００８】
本発明は上記の事情に鑑みてなされたもので、例えばＨＡＦ（ホールアシストファイバ）、ＰＣＦ（フォトニッククリスタルファイバ）等の断面において光伝搬部もしくはコアが複数の空孔で囲まれた光ファイバを用いた光ファイバコードであっても所望の光ファイバコードを特定可能な心線対照を実現することを目的とする。さらに対照光に可視光を用いる事で視認による簡易な心線対照も実現可能とする。
【課題を解決するための手段】
【０００９】
上記目的を達成するため本発明は、光伝搬部もしくはコアが複数の空孔で囲まれると共に空孔の間隙を波長範囲380〜1200nmの光が伝搬可能である光ファイバを用いた光ファイバコードであって、前記光ファイバを覆うように被覆部材が設けられ、被覆部材として380〜1200nmの波長範囲の光が通過する被覆部材を用いることを特徴とするものである。
【００１０】
また本発明は、前記光ファイバコードにおいて、被覆部材として、被覆部材を光が断面方向に通過する場合の透過率が380〜1200nmの波長範囲で0.1%以上70%以下である被覆部材を用いること、被覆部材として、UV被覆、強度保持材、コード外被覆の少なくとも１つ以上より構成される被覆部材を用いることを特徴とするものである。
【００１１】
また本発明は、前記光ファイバコードにおいて、ＵＶ被覆、強度保持材、コード外被覆の少なくともいずれかに波長範囲380〜1200nmの光を散乱させる粒子を含有することを特徴とするものである。
【００１２】
また本発明は、前記光ファイバコードにおいて、光ファイバコードを湾曲させた場合に、光ファイバを伝搬する光のうち、波長範囲380〜1200nmの光の少なくともいずれか１波長の光を漏光し、1200nmを超える波長の光を漏光しないことを特徴とするものである。
【００１３】
また本発明は、前記光ファイバコードにおいて、光ファイバコードを半径5mmで湾曲させた場合に、光ファイバを伝搬する光のうち、波長範囲380〜1200nmの光の少なくともいずれか１波長の光を漏光し、1200nmを超える波長の光を漏光しないことを特徴とするものである。
【００１４】
また本発明は、前記光ファイバコードにおいて、波長範囲380〜1200nmの光を光ファイバコードの光伝搬部もしくコアに結合する光結合器を具備することを特徴とするものである。
【００１５】
また本発明は、前記光ファイバコードにおいて、光ファイバコードの光伝搬部もしくコアを伝搬する信号光に影響を与えずに波長範囲380〜1200nmの光を合波する光結合器を有することを特徴とするものである。
【００１６】
また本発明は、前記光ファイバコードにおいて、波長範囲380〜1200nm及び1300〜1700nmの少なくともいずれか１波長以上の光もしくは変調光を発する光源が接続されていることを特徴とするものである。
【００１７】
また本発明は、前記光ファイバコードにおいて、光ファイバコードを挟み込んで、光ファイバコードを湾曲させて波長範囲380〜1200nmの光のパワーもしくは変調信号を検出可能な心線対照器が設けられていることを特徴とするものである。
【００１８】
また本発明は、光伝搬部もしくはコアが複数の空孔で囲まれると共に空孔の間隙を波長範囲380〜1200nmの光が伝搬可能である光ファイバを用いた光ファイバコードの心線対照方法であって、前記光ファイバコードを湾曲させ、光ファイバを伝搬する光のうち、波長範囲380〜1200nmの光の少なくともいずれか１波長の光を漏光し、1200nmを超える波長の光を漏光しないようにして心線対照を行うことを特徴とする。
【発明の効果】
【００１９】
本発明の光ファイバコードは、優れた曲げ損失特性を得るため光の伝搬域（信号伝搬域）の外側に空孔を有する構造であり、空孔の間隙を可視域（380〜750nm）もしくは短波長側の近赤外域(750〜1200nm)の光が伝搬可能であり、さらに光ファイバを覆うＵＶ被覆、強度保持材、コードの外被覆を透過することを特徴とする。
【００２０】
通信信号光に中波長の近赤外光(1300〜1700nm)、対照光に短波長の近赤外光を用いる場合には、従来の対照光では困難であった通信状態における空孔型光ファイバの心線対照を可能にする。したがって曲げても通信に影響を与えることなく心線対照が可能となる。
【００２１】
さらに対照光に可視光を用いた場合には、心線対照器等を使用せず手で光ファイバコードを湾曲させるのみで視認にて心線対照が可能となる。光ファイバコードで発生した異常な曲げを目視で確認することも可能であり、配線の保守性の向上に繋がる。
【００２２】
ファイバパラメータおよび対照光の波長を最適化することで光ファイバコード全体を光らせて対照することも可能である。さらに対照光に変調を付加することで、他の光ファイバコードとの判別が容易になる。本発明は、光設備の保守作業における作業の確実性、容易性を大幅に向上させると共に経済性にも大きく寄与する。
【図面の簡単な説明】
【００２３】
【図１】本発明の第１の実施形態に係る光ファイバコードを示す断面図である。
【図２】従来の所内光配線設備を示す構成説明図である。
【図３】本発明の第１の実施形態に係るＨＡＦ及びＳＭＦの湾曲付与時におけるコア伝搬光の漏光量の波長依存性の一例を示す特性図である。
【図４】本発明の第１の実施形態に係るＨＡＦにおける波長650nmの可視光の漏光量および波長1550nmの光の曲げ損失の空孔の間隙の依存性の一例を示す特性図である。
【図５】本発明の第１の実施形態に係る1.1mm外径の光ファイバコードのUV被覆、ケブラ、コード外被覆の透過損失の波長依存性の一例を示す特性図である。
【図６】本発明の第１の実施形態に係る1.1mm外径の光ファイバコードについて波長650nmの可視光の漏光パワーおよび曲げ損失の曲げ直径依存性の一例を示す特性図である。
【図７】本発明の第１の実施形態に係る1.1mm外径の光ファイバコードについて漏光パワーのコード長依存性の一例を示す特性図である。
【図８】本発明の第２の実施形態に係る光ファイバコードを示す断面図及び光ファイバコードの心線対照方法を示す構成説明図である。
【図９】本発明の第２の実施形態に係る漏光パワーのコード長依存性の一例を示す特性図である。
【図１０】本発明の第３の実施形態に係る光ファイバコードを示す断面図及び光ファイバコードの心線対照方法を示す構成説明図である。
【図１１】本発明の第３の実施形態に係る漏光パワーのコード長依存性の一例を示す特性図である。
【図１２】本発明の第４の実施形態に係る光ファイバコードの心線対照方法を示す構成説明図である。
【発明を実施するための形態】
【００２４】
以下、本発明の実施の形態について、詳細に説明する。
[第１の実施形態]
図１は本発明の第１の実施形態に係る光ファイバコードを示し、（ａ）縦断面図、（ｂ）は横断面図である。図１（ａ），（ｂ）において、中心軸部にコア２１が設けられ、光伝搬部（信号伝搬部）であるコア２１の周囲には空孔層２２が同軸的に設けられると共に空孔層２２には６つの空孔２３がコア２１を中心として円環状に配列されて設けられてＨＡＦ（ホールアシストファイバ）が構成される。
【００２５】
空孔層２２の周囲には紫外光照射による硬化性の樹脂よりなるＵＶ被覆２４が設けられ、ＵＶ被覆２４の周囲にはケブラ２５が設けられると共にコード外被覆２６が設けられる。ケブラ２５はコードの強度保持材としての機能があり、材料としてはアラミド繊維等が用いられる。コード外被覆２６は難燃性に優れ、曲げ癖がつきにくく、滑りがよいノンハロゲンポリマや難燃性のポリオレフィン等がある。
【００２６】
空孔２３の間隙は可視域（380〜750nm）もしくは短波長側の近赤外域(750〜1200nm)の光が伝搬可能であり、さらにＵＶ被覆２４、ケブラ２５、及びコード外被覆２６よりなる被覆部材は光が断面方向に通過する場合の総計の透過率が380〜1200nmの波長範囲で0.1%以上70%以下である。
【００２７】
図１中、２７は通信光であり、２８は可視光（６５０ｎｍ）である。
すなわち、通信光として中波長域の近赤外光(1300〜1700nm)および対照光として可視光（380〜750nm）もしくは短波長域の近赤外光(750〜1200nm)を光ファイバコードのコア２１の片端より入力し、光ファイバコードに例えば半径５ｍｍで湾曲を加えると、対照光の可視光（380〜750nm）もしくは短波長域の近赤外光(750〜1200nm)は空孔２３の間隙に比べて波長が大幅に短いため空孔２３の間隙を縫ってＨＡＦ外縁部側へ漏光し、ＵＶ被覆２４を透過し、ケブラ２５を通過し、コード外被覆２６を透過して光ファイバコードの外へ放射される。
【００２８】
一方、波長が1200nmを超える通信光である中波長域の近赤外光(1300〜1700nm)は、空孔２３の間隙と比較して十分に波長は短くないので、６つの空孔２３の中心部へ閉じ込められ、光ファイバコードに例えば半径５ｍｍで湾曲を加えても外部へ放射（漏光）されない。
【００２９】
したがって、光ファイバコードを例えば半径５ｍｍで湾曲させても通信に影響を与えることなく心線対照が可能となる。さらに対照光に可視光を用いた場合には、心線対照器等を使用せず手で光ファイバコードを湾曲させるのみで視認にて心線対照が可能となる。光ファイバコードで発生した異常な曲げを目視で確認することも可能であり、配線の保守性の向上に繋がる。
【００３０】
尚、ＨＡＦのファイバパラメータおよび対照光の波長を最適化することで光ファイバコード全体を光らせて対照することも可能である。さらに対照光に変調を付加することで、他の光ファイバコードとの判別が容易になる。
【００３１】
また、光ファイバコードにおいて、ＵＶ被覆２４、ケブラ２５、及びコード外被覆２６の少なくともいずれかに波長範囲380〜1200nmの光を散乱させる粒子を含有するようにしてもよい。
【００３２】
さらに、光ファイバコードにおいて、波長範囲380〜1200nmの光を光ファイバコードの光伝搬部もしくコアに結合する光結合器を設けてもよく、また、光ファイバコードの光伝搬部もしくコアを伝搬する信号光に影響を与えずに波長範囲380〜1200nmの光を合波する光結合器を設けてもよい。
【００３３】
また、光ファイバコードに、波長範囲380〜1200nm及び1300〜1700nmの少なくともいずれか１波長以上の光もしくは変調光を発する光源を接続するようにしてもよい。
【００３４】
また、光ファイバコードを挟み込んで、光ファイバコードを湾曲させて波長範囲380〜1200nmの光のパワーもしくは変調信号が検出可能な心線対照器を設けてもよい。
【００３５】
図３（ａ）に半径5mmで１回転湾曲させた場合のHAFのコア伝搬光の漏光量の波長依存性を表し、図３（ｂ）に半径5mmで１回転湾曲させた場合のSMFのコア伝搬光の漏光量の波長依存性を表す。ここでは光ファイバ素線で測定し、ＵＶ被覆の吸収損失を引いた値である。また比較のため従来のシングルモードファイバ(SMF)の漏光スペクトルも測定した。図から分かるようにHAFでは波長1200nmから短波長側に行くに従い、急激に漏光量が増加している。一方、SMFは長波長側に行くに従い損失が増加しており、HAFとは対称的な変化を示している。SMFでは対照光を通信波長の長波長側に設定し、光ファイバコードを湾曲されることで心線対照が可能となるが、本発明の一実施形態のHAFでは対照光を通信波長の短波長に設定し、光ファイバコードを湾曲させて漏光することで、通信状態での心線対照が可能となる。
【００３６】
図４に図３で用いたHAFを半径5mm(R5)で１回転巻いて湾曲させた場合における波長650nmの可視光の漏光量および波長1550nmの曲げ損失の空孔の間隙の依存性を示す。図４から分かるように、空孔の間隙を大きくしていくと波長650nmの可視光の漏光量が増加し始め、ある程度のところで飽和する。さらに空孔の間隙を増加させていくと波長1550nmの曲げ損失が増加し始める。したがって空孔の間隙の大きさは２つの量が増加し始める間隙値の間に設定するのが望ましい。また可視光の透過量が大きい場合にはファイバ長手方向における光減衰が急となるため、長距離を伝搬させたい場合は空孔の間隙を小さくすることで対応できる。しかし、その場合は漏光量が小さくなるので視認性が悪くなる場合がある。
【００３７】
図５に1.1mm外径の光ファイバコードのＵＶ被覆、ケブラ、コード外被覆の透過損失の波長依存性を示す。いずれの透過率もファイバ断面方向に透過する透過距離で算出しており、本実施形態の場合、ＵＶ被覆：190μm, ケブラ：20μm, 外被覆：170μmの透過距離であった。またケブラについては繊維状になっているため、ケブラを通過する部分と空気層を透過する部分の両方を合わせた透過率となっている。図５から分かるように波長650nm付近で総計7dB程度の損失が発生した（被覆部材の中で最も透過損失が低いＵＶ被覆では650nmで1.7dBの透過損失（70%程度の透過率）であった）。
【００３８】
図６は、図５で用いた光ファイバコードについて、光パワー3mW, 波長650nmの可視光（LD光源使用）と光パワー1mW, 波長1550nmの通信光を入力した場合の波長650nmの漏光パワーの曲げ直径および曲げ損失依存性（１回転巻き）を表した図である。室内の照明（500lx）がある場所で視認可能な光パワーは１μWであった（したがって、一般的なファイバ導通チェック用の光源のパワーが1mW付近であるので、被覆部材の透過率は0.1%以上が必要であると考えられる）。図６から分かるように曲げ直径8mm以下で視認可能な光パワーが得られる一方、通信光には全く曲げ損失が発生していない。したがって通信に影響せずに、視認による心線対照が可能であることが分かる。
【００３９】
さらに図７に漏光パワーのコード長（心線対照を行う光ファイバコードの入力端からの位置）依存性を示す。曲げ直径5mm以上で50m以上の視認可能なコード長を達成しており、光所内配線設備の架間ケーブル等にも応用可能である。
【００４０】
また本実施形態（図３〜図６等）で示した数値は、１例であり、本発明の適用範囲はこの範囲に限定されるものではない。また光源についてはＬＤの他に、He-Neレーザ、Tiサファイアレーザ、アルゴンレーザ、ＬＥＤ、色素レーザ、ファイバラマンレーザ、ファイバレーザ等が使用可能である。また光結合器については、ファイバカプラのほかに、誘電体多層タイプ、空間結合、光導波路等を利用可能である。
【００４１】
[第２の実施形態]
図８（ａ）に本発明の第２の実施形態に係る光ファイバコードおよびそれに接続される光源、および光結合器の構成を示し、図８（ｂ）に本発明の第２の実施形態に係る光ファイバコードの横断面図を示す。図８（ａ）に示すように、ＰＣＦを用いた光ファイバコード３１には光結合部（ファイバカプラ）３２が接続される。光結合器部３２は複数の光コネクタ（または融着部）３３及び可視光源（波長５５０ｎｍ）３４より構成され、光ファイバコード３１は光コネクタ（または融着部）３３から所定のコード長の位置に漏光用の湾曲付与部３５が設けられる。
【００４２】
光ファイバコード３１は図８（ｂ）に示すように、空孔２３が８孔の２重環状に配置されたＰＣＦである以外は図１の構成と同一であり、同一符号を付してその説明を省略する。また光結合器部３２はファイバタイプの光カプラ、可視光源３４は波長550nmのレーザーダイオードで光ファイバコードへの入力パワーは3mWであった。各種材料の特性および各種波長の湾曲付与時の漏光特性等は第１の実施形態に準じる。
【００４３】
図９に漏光パワーのコード長（心線対照を行う光ファイバコードの入力端からの位置）依存性である。漏光パワーは湾曲位置での最大受光パワーである。湾曲は１回転巻きで4mmφ, 5mmφ, 8mmφで行った。図９ら分かるように4mmφ時コード長50m以上でも室内照明下で視認による心線対照が可能であることが分かる。また散乱体として光ファイバのクラッド内にファイバのホストガラスより屈折率の高いガラス（Geドープ, 粒子系：2μm）を混入させた場合には5dB、ＵＶ被覆内に7×7×1μmのアルミ片を混入した場合には3dB, コード外被覆内に7×7×1μmのアルミ片を混入した場合には3.5dB、室内照明下で視認可能な受光レベルがそれぞれ下がった。散乱体があることである程度散乱光が集光したためと考えられる。
【００４４】
また本実施形態で示した数値（図９,散乱体のサイズ等）は、１例であり、本発明の適用範囲はこの範囲に限定されるものではない。また光源についてはＬＤの他に、He-Neレーザ、Tiサファイアレーザ、アルゴンレーザ、ＬＥＤ、色素レーザ、ファイバラマンレーザ、ファイバレーザ等が使用可能である。また光結合器については、ファイバカプラのほかに、誘電体多層タイプ、空間結合、光導波路等が利用可能である。また散乱物質としては各種金属（金、白金、アルミ、ニッケル合金等）、各種ガラス（燐、鉛、アルミ、亜鉛添加ガラス等）、ガラスのひずみを用いたもの等がある。
【００４５】
[第３の実施形態]
図１０（ａ）に本発明の第３の実施形態に係る光ファイバコードおよびそれに接続される光源、および光結合器の構成を示し、図１０（ｂ）に本発明の第３の実施形態に係る光ファイバコードの横断面図を示す。図１０（ａ）に示すように、ＨＡＦを用いた光ファイバコード４１には光結合器部（ファイバカプラ）４２が接続される。光結合器部４２は複数の光コネクタ（または融着部）４３及び近赤外光源（波長１０００ｎｍ）４４より構成され、光ファイバコード４１は光コネクタ（または融着部）４３から所定のコード長の位置に漏光用の湾曲付与部４５が設けられる。湾曲付与部４５には心線対照器４６が設けられる。
【００４６】
光ファイバコード４１は図１０（ｂ）に示すように、対照光が近赤外光４７である以外は図１の構成と同一であり、同一符号を付してその説明を省略する。また光結合器部４２はファイバタイプの光カプラ、近赤外光源４４は周波数270Hzで変調された波長1000nmのレーザーダイオードで光ファイバコードへの平均入力パワーは2mWであった。各種材料の特性および各種波長の湾曲付与時の漏光特性等は第３の実施形態に準じ、湾曲時の漏光は可視光と同様に、中波長域の近赤外光（通信光）が漏光しない場合でも短波長の近赤外光が漏光する。
【００４７】
図１１に漏光パワーのコード長（心線対照を行う光ファイバコードの入力端からの位置）依存性である。漏光パワーは湾曲位置での最大受光パワーである。湾曲は１回転巻きで4mmφ, 5mmφ, 8mmφで行った。心線対照器は波長1100nmの光を光パワー0.1μWまで受光可能なものを使用した。図から分かるようにコード長：500mでも受光可能であった。また本実施形態では対照光に変調が加えられているため、省電力化、対照確度、外部光の影響の回避に大きく寄与している。
【００４８】
また本実施形態で示した数値は、１例であり、本発明の適用範囲はこの範囲に限定されるものではない。また光源についてはＬＤの他に、He-Neレーザ、Tiサファイアレーザ、アルゴンレーザ、ＬＥＤ、色素レーザ、ファイバラマンレーザ、ファイバレーザ等が使用可能である。また光結合器については、ファイバカプラのほかに、誘電体多層タイプ、空間系結合、光導波路等が利用可能である。
【００４９】
また複数波長の漏洩光を用いる事でその曲げ損失の比から、ある程度正確な曲げ半径を推定することも可能である。また対照光の変調に関しては、信号に様々な情報を添付し、それを心線対照器でモニタすることで作業指示等の様々な応用が可能である。
【００５０】
[第４の実施形態]
図１２は、本発明の第４の実施形態に係る光ファイバコード、それに接続される光源、光結合器、心線対照器の構成を示す。図１２に示すように、通信局の所内に配線されるＨＡＦを用いた光ファイバコード５１には光結合器部（ファイバカプラ）５２が接続される。光結合部５２は複数の光コネクタ（または融着部）５３及び２波長光源（波長６５０ｎｍ＋１６５０ｎｍ）５４より構成され、光ファイバコード５１は光コネクタ（または融着部）５３から所定のコード長の位置に漏光用の湾曲付与部５５が設けられる。光ファイバコード５１の通信局の所内と所外の境界側端部には光コネクタ（または融着部）５６によりＳＭＦを用いた光ファイバコード５７が接続される。光ファイバコード５７の通信局の所外には湾曲付与部５８が設けられ、湾曲付与部５８には心線対照器５９が設けられる。
【００５１】
光結合器はファイバタイプの光カプラ、光源は波長650nmの連続光（光パワー3mW）を発生する光源と周波数270Hzで変調された波長1650nmの変調光を発生する光源を合波した２波長の光源であった。本実施形態は、光ファイバコード５１までの部分を所内の設備とし、所外伝送路として光ファイバコード５７を後端に接続する場合を想定し、２波長（所内用650nm、所外用：1650nm）の光源を入力し、それぞれの光ファイバコードで心線対照を可能にした。所内側のHAF光ファイバコード５１は入力端より5mの位置で曲げ直径4mm時に光パワー5μW、所外側のＳＭＦ光ファイバコード５７は入力端より5kmの地点で通常の心線対照を用いて光パワー８μWを受光し、２波長の光源を用いる事で所内・所外を同時に心線対照可能であることを示した。
【００５２】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【００５３】
２１…コア、２２…空孔層、２３…空孔、２４…ＵＶ被覆、２５…ケブラ、２６…コード外被覆。
【図１】
2010276862.tif 000003
【図２】
2010276862.tif 000004
【図３】
2010276862.tif 000005
【図４】
2010276862.tif 000006
【図５】
2010276862.tif 000007
【図６】
2010276862.tif 000008
【図７】
2010276862.tif 000009
【図８】
2010276862.tif 000010
【図９】
2010276862.tif 000011
【図１０】
2010276862.tif 000012
【図１１】
2010276862.tif 000013
【図１２】
2010276862.tif 000014